(57)【要約】  オペレータが操作部（２）におけるタッチパネル式の液晶表示部または撮影部の操作部（４１）におけるタッチパネル式の液晶表示部に表示された練習モードの実行開始スイッチを押圧して練習モードに移行した後には、操作部（２）または撮影部の操作部（４１）を操作した場合、Ｘ線撮影制御部（７２）からの信号は音声ガイダンス部用信号出力部（７３）を介して音声ガイダンス部（５）における音声ガイダンス出力制御部（５２）に送信される。そして、音声ガイダンス部（５）における音声ガイダンス出力制御部（５２）がスピーカ（５１）に対して、音声ガイダンスを出力するための信号を送信する。これにより、スピーカ（５１）から、シリアル撮影を実行するときと同じ音声が出力され、被検者は呼吸方法等の練習を実行することが可能となる。
2020065761.tif 000002
【特許請求の範囲】
【請求項１】
放射線照射部と放射線検出部を備え、被検者を放射線撮影する撮影機構と、
被検者に対して音声ガイダンスを出力する音声ガイダンス部と、
前記音声ガイダンス部による音声ガイダンスのみを実行する練習モードと、前記音声ガイダンス部による音声ガイダンスと同期して前記撮影機構による放射線撮影を実行する撮影モードとを切り替えるための制御部と、
を備えたことを特徴とする放射線撮影装置。
【請求項２】
請求項１に記載の放射線撮影装置において、
前記撮影機構の動作として、単一の放射線画像を撮影する一般撮影と、連続して複数の放射線画像を撮影するシリアル撮影と、を実行可能であり、
前記制御部は、前記一般撮影の実行時には前記撮影モードを選択し、前記シリアル撮影の実行時には、前記練習モードと前記撮影モードのいずれかを選択する放射線撮影装置。
【請求項３】
請求項２に記載の放射線撮影装置において、
前記撮影機構は、タッチパネル式の液晶表示部を備え、
前記制御部は、前記シリアル撮影の実行時に、前記タッチパネル式の液晶表示部に前記練習モードの実行開始スイッチを表示する放射線撮影装置。
【請求項４】
請求項３に記載の放射線撮影装置において、
前記制御部は、前記シリアル撮影の実行時に前記タッチパネル式の液晶表示部に前記練習モードの実行開始スイッチを表示するとともに、前記一般撮影の実行時に前記タッチパネル式の液晶表示部に前記一般撮影を実行するときの撮影準備スイッチを表示する放射線撮影装置。
【請求項５】
請求項２に記載の放射線撮影装置において、
前記撮影機構は、前記練習モードの実行開始スイッチを備え、
前記制御部は、前記シリアル撮影の実行時には前記練習モードの実行開始スイッチを有効とし、前記一般撮影の実行時には前記練習モードの実行開始スイッチを無効とする放射線撮影装置。
【請求項６】
請求項２に記載の放射線撮影装置において、
前記撮影機構は、前記撮影機構に放射線撮影の準備を開始させるための準備開始スイッチを備え、
前記制御部は、前記シリアル撮影の実行時には前記準備開始スイッチが操作されたときに前記練習モードの実行を開始させ、前記一般撮影の実行時には前記準備開始スイッチが操作されたときに前記撮影機構に放射線撮影の準備を開始させる放射線撮影装置。
【発明の詳細な説明】
【技術分野】
【０００１】
この発明は、Ｘ線撮影装置等の放射線撮影装置に関し、特に、音声ガイダンス機能を備えた放射線撮影装置に関する。
【背景技術】
【０００２】
被検者に対して呼吸器系の診断を行う診断用のＸ線撮影装置においては、被検者の呼吸のタイミングとＸ線撮影のタイミングを一致させることが必要となる。例えば、肺を膨らませた状態で撮影を行う胸部撮影は、被検者が大きく息を吸った状態で息止めを行い、その間にＸ線を照射してＸ線撮影を実行する必要がある。Ｘ線を照射している時間内において呼吸により肺が動くと、撮影されたＸ線画像にボケが生じ、診断に影響を及ぼす可能性がある。【０００３】
このため、Ｘ線撮影時に音声ガイダンスを出力することが提案されている（特許文献１および特許文献２参照）。また、被検者の息止めのタイミングをサポートするため、「オートボイス」と呼ばれる音声ガイダンス機器が販売されている。この音声ガイダンス機器を使用した場合には、Ｘ線撮影装置によるＸ線撮影動作と連動し、Ｘ線撮影装置におけるＸ線準備開始スイッチを押圧するタイミングで音声ガイダンス機器より「息を吸って止めてください」というアナウンスが被検者に対し行われ、引き続きＸ線撮影装置のＸ線撮影スイッチを押圧するとＸ線撮影装置からＸ線が照射され、Ｘ線照射が完了後にＸ線撮影画像が取得される。このＸ線撮影の完了時には、音声ガイダンス機器より「撮影終了です」というアナウンスが行われる。【０００４】
また、Ｘ線撮影スイッチを押すとＸ線照射を１回だけ行って単一のＸ線画像を撮影する一般撮影とは別に、Ｘ線撮影スイッチを押し続けている間、複数のＸ線照射を行い、連続して複数のＸ線画像を撮影するシリアル撮影（ｓｅｒｉａｌ  ｒａｄｉｏｇｒａｐｈｙ）を行う場合もある。このシリアル撮影時には、例えば、フレームレートが１５ｆｐｓ（ｆｒａｍｅｓ  ｐｅｒ  ｓｅｃｏｎｄ）であれば、１５秒間の間に２２５回のＸ線撮影が行われる。【０００５】
このシリアル撮影時における音声ガイダンスでは、例えば、最初にＸ線撮影装置におけるＸ線撮影の準備ボタンが押圧された後、５秒間の間に、音声ガイダンス機器より被検者に吸気を促すアナウンスなされる。次に、Ｘ線撮影装置のＸ線撮影スイッチが押圧されてＸ線撮影が開始される２秒間の間に、音声ガイダンス機器より被検者に息を止めるよう指示するアナウンスがなされる。そして、連続したＸ線撮影を継続しながら、次の５秒間の間に音声ガイダンス機器より被検者に呼気を促すアナウンスがなされ、引き続き、２秒の間に音声ガイダンス機器より被検者に息を止めるように指示するアナウンスがなされた後、次の５秒間の間に音声ガイダンス機器より被検者に呼気を促すアナウンスがなされる。そして、Ｘ線撮影装置におけるＸ線撮影スイッチの押圧が解除されるとともに、２秒間の間に音声ガイダンス機器より撮影が終了した旨のアナウンスがなされる。
【先行技術文献】
【特許文献】
【０００６】
【特許文献１】特開２０００−３２５３３９号公報
【特許文献２】特開２００８−６７９３５号公報
【発明の概要】
【発明が解決しようとする課題】
【０００７】
シリアル撮影は、一般撮影とは異なり被検者が特殊な呼吸を行う必要があることから、撮影を行う前に被検者が呼吸方法を練習することが好ましい。この練習時には、放射線技師等が被検者の側で呼吸方法を指示する。この時には、シリアル撮影に実際に使用する音声ガイダンス機器を用いて呼吸方法を練習することにより、実際の撮影時と練習時で乖離のない適切な呼吸を行うことが可能となる。【０００８】
しかしながら、呼吸方法の練習のために音声ガイダンス機器を作動させるためには、それに伴ってＸ線撮影装置においてＸ線撮影の準備とＸ線の照射がなされることから、被検者等の被ばくを防止するため、Ｘ線防護用の鉛の衝立を用意するなどの被ばく防止の手段を設ける必要が生ずる。【０００９】
また、通常の音声ガイダンス機器とは別に、Ｘ線撮影装置におけるＸ線撮影動作とは連動しない音声ガイダンス機器を準備することでこのような問題を解消することも可能ではあるが、この場合には、音声ガイダンス機器を２個用意する必要があることから、コストがかかるだけではなく、その設置場所を確保する必要がある。【００１０】
この発明は上記課題を解決するためになされたものであり、放射線の被ばくを考慮することなく既存の音声ガイダンス機器を使用して呼吸方法等の練習を実行することが可能な放射線撮影装置を提供することを目的とする。
【課題を解決するための手段】
【００１１】
請求項１に記載の発明は、放射線照射部と放射線検出部を備え、被検者を放射線撮影する撮影機構と、被検者に対して音声ガイダンスを出力する音声ガイダンス部と、前記音声ガイダンス部による音声ガイダンスのみを実行する練習モードと、前記音声ガイダンス部による音声ガイダンスと同期して前記撮影機構による放射線撮影を実行する撮影モードとを切り替えるための制御部と、を備えたことを特徴とする。【００１２】
請求項２に記載の発明は、請求項１に記載の発明において、前記撮影機構の動作として、単一の放射線画像を撮影する一般撮影と、連続して複数の放射線画像を撮影するシリアル撮影と、を実行可能であり、前記制御部は、前記一般撮影の実行時には前記撮影モードを選択し、前記シリアル撮影の実行時には、前記練習モードと前記撮影モードのいずれかを選択する。【００１３】
請求項３に記載の発明は、請求項２に記載の発明において、前記撮影機構は、タッチパネル式の液晶表示部を備え、前記制御部は、前記シリアル撮影の実行時に、前記タッチパネル式の液晶表示部に前記練習モードの実行開始スイッチを表示する。【００１４】
請求項４に記載の発明は、請求項３に記載の発明において、前記制御部は、前記シリアル撮影の実行時に前記タッチパネル式の液晶表示部に前記練習モードの実行開始スイッチを表示するとともに、前記一般撮影の実行時に前記タッチパネル式の液晶表示部に前記一般撮影を実行するときの撮影準備スイッチを表示する。【００１５】
請求項５に記載の発明は、請求項２に記載の発明において、前記撮影機構は、前記練習モードの実行開始スイッチを備え、前記制御部は、前記シリアル撮影の実行時には前記練習モードの実行開始スイッチを有効とし、前記一般撮影の実行時には前記練習モードの実行開始スイッチを無効とする。【００１６】
請求項６に記載の発明は、請求項２に記載の発明において、前記撮影機構は、前記撮影機構に放射線撮影の準備を開始させるための準備開始スイッチを備え、前記制御部は、前記シリアル撮影の実行時には前記準備開始スイッチが操作されたときに前記練習モードの実行を開始させ、前記一般撮影の実行時には前記準備開始スイッチが操作されたときに前記撮影機構に放射線撮影の準備を開始させる。
【発明の効果】
【００１７】
請求項１に記載の発明によれば、音声ガイダンス部による音声ガイダンスのみを実行する練習モードと、音声ガイダンス部による音声ガイダンスと同期して撮影機構による放射線撮影を実行する撮影モードとを切り替えることができることから、放射線の被ばくを考慮することなく既存の音声ガイダンス機器を使用して呼吸方法等の練習を実行することが可能となる。【００１８】
請求項２に記載の発明によれば、呼吸方法等の練習の必要のない一般撮影時には撮影モードが選択されるとともに、練習が必要なシリアル撮影時には練習モードの選択が可能となることから、撮影形態に合わせて音声ガイダンスの態様を選択することが可能となる。【００１９】
請求項３の発明によれば、シリアル撮影の実行時に練習モードを容易に開始することができる。【００２０】
請求項４に記載の発明によれば、シリアル撮影の実行時に練習モードを容易に開始することができるとともに、一般撮影の実行時に撮影の準備を容易に開始することができる。【００２１】
請求項５に記載の発明によれば、シリアル撮影の実行時に練習モードを容易に開始することができるとともに、一般撮影の実行時に練習モードが実行されることを防止することが可能となる。【００２２】
請求項６に記載の発明によれば、準備開始スイッチを利用することにより、シリアル撮影の実行時に練習モードを容易に開始することができるとともに、一般撮影の実行時に撮影の準備を容易に開始することができる。
【図面の簡単な説明】
【００２３】
【図１】この発明に係るＸ線撮影装置の概要図である。
【図２】この発明に係るＸ線撮影装置における検診台３および撮影部４の斜視図である。
【図３】操作部２の概要図である。
【図４】撮影部４における操作部４１の正面図である。
【図５】Ｘ線撮影装置の主要な制御系を示すブロック図である。
【図６】操作部２におけるタッチパネル式の液晶表示部２２の表示画面の一例を示す概要図である。
【図７】練習モード時における指令信号の送信状態を示すブロック図である。
【図８】撮影モード時における指令信号の送信状態を示すブロック図である。
【発明を実施するための形態】
【００２４】
以下、この発明の実施の形態を図面に基づいて説明する。図１は、この発明に係る放射線撮影装置としてのＸ線撮影装置の概要図である。また、図２は、この発明に係るこの発明に係る放射線撮影装置としてのＸ線撮影装置における検診台３および撮影部４の斜視図である。
【００２５】
この発明に係るＸ線撮影装置は、オペレータがＸ線撮影操作等を実行するための操作室１０１に設置されたコンソール部１、操作部２および音声ガイダンス部５と、被検者Ｍに対して撮影を行うための撮影室１００に設置された検診台３および撮影部４とを備える。撮影室１００と操作室１０１とは、隔壁１０２により遮断されている。
【００２６】
操作室１０１に設置されたコンソール部１は、液晶表示器等から構成される表示部１１と、各種の操作を実行するためのキーボードやマウス等からなる操作部１２とを備える。表示部１１には、Ｘ線撮影画像等が表示される。このコンソール部１は、図示を省略した病院内の被検者管理システムの院内通信である院内ネットワークと接続されている。
【００２７】
操作室１０１に配置された音声ガイダンス部５は、「オートボイス」と呼ばれる市販の音声ガイダンス機器から構成される。この音声ガイダンス部５は、被検者Ｍの息止めのタイミングをサポートするための音声ガイダンスを発生させるためのものであり、撮影室１００の壁等に配設されたスピーカ５１と接続されている。
【００２８】
図３は、操作部２の概要図である。
【００２９】
この操作部２は、操作室１０１内において隔壁１０２に配設される。この操作部２は、タッチパネル式の液晶表示部２２と入力ボタン２４と有する操作パネル２１と、撮影部４におけるＸ線管４２に対するＸ線照射およびぞの準備のための信号を送信するための二段式の押しボタン２５を有するハンドスイッチ２３とを備える。この操作部２は、Ｘ線管４２の管電圧や管電流、あるいは、Ｘ線照射時間等のＸ線の照射条件を設定するためのものである。この操作部２は、撮影室１００に配設された高電圧発生部６と接続されている。この高電圧発生部６は、Ｘ線管４２に対して、Ｘ線の照射を可能とするための高電圧を供給する。なお、この高電圧発生部６は、撮影室１００内においてＸ線の照射を開始するために使用されるフットスイッチ２０と接続されている。
【００３０】
再度、図１および図２を参照して、検診台３は、被検者Ｍを載置する天板３１と、内部にＸ線検出器としてのフラットパネルディテクタ（ＦＰＤ）を収納したＸ線検出部３３と、天板３１およびＸ線検出部３３を昇降するための昇降部３４とを備える。Ｘ線検出部３３は、図２に示すＧ方向に水平移動可能となっている。また、Ｘ線検出部３３は、天板３１とともに、図２に示すＦ方向に昇降可能となっている。
【００３１】
撮影部４は、図２に示すように、撮影室１００の天井に対して互いに直交するＡ方向およびＢ方向に移動可能な基部６１と、この基部６１から下方に延びる支持部６２と、この支持部６２に対してＣ方向に昇降するともに、Ｄ方向に回動する移動部６３と、この移動部６３の下端部に軸支され、ハンドル４５、Ｘ線管４２およびコリメータ４３を一体としてＥ方向に回動させる支持軸６４とを備える。このため、ハンドル４５、Ｘ線管４２およびコリメータ４３は、Ａ、Ｂ、Ｃ、Ｄ、Ｅ方向に移動可能となっている。
【００３２】
図４は、撮影部４における操作部４１の正面図である。
【００３３】
この操作部４１は、Ｘ線管４２をコリメータ４３とともに移動させるためのハンドル４５と、操作パネル４４とから構成される。操作パネル４４の中央部には、タッチパネル式の液晶表示部４６が配設されている。また、この液晶表示部４６の周囲には、複数の入力ボタン４９が配設されている。
【００３４】
図５は、この発明に係る放射線撮影装置としてのＸ線撮影装置の主要な制御系を示すブロック図である。
【００３５】
高電圧発生部６には、装置全体を制御する制御部７０が配設されている。この制御部７０は、ソフトウエアがインストールされたコンピュータから構成される。この制御部７０に含まれる各種の機能は、コンピュータにインストールされているソフトウエアを実行することで実現される。この高電圧発生部６における制御部７０は、上述したコンソール部１、操作部２、検診台３、撮影部４および音声ガイダンス部５と接続されている。
【００３６】
なお、図５に示す実施形態においては、高電圧発生部６に制御部７０を配設した場合について説明したが、この制御部７０は、例えばコンソール部１等の、高電圧発生部６以外の部材に配設してもよく、また、その機能を複数の部材に分割して配設してもよい。また、図５に示す実施形態においては、高電圧発生部６を介してコンソール部１、操作部２、検診台３、撮影部４および音声ガイダンス部５を接続しているが、これらの各部は、どのような形態で互いに接続されてもよい。
【００３７】
このＸ線撮影装置は、コンソール部１、操作部２、検診台３、撮影部４および高電圧発生部６から構成される撮影機構の動作として、単一の放射線画像を撮影する一般撮影と、連続して複数の放射線画像を撮影するシリアル撮影とを実行することが可能となっている。これらの一般撮影とシリアル撮影のいずれを実行するのかは、コンソール部１の操作部１２や操作部２、あるいは、撮影部４の操作部４１から選択することができる。また、このＸ線撮影装置における音声ガイダンス部５は、音声ガイダンスのみを実行する練習モードと、音声ガイダンスと同期して撮影機構によるＸ線撮影を実行する撮影モードとを切替可能となっている。上述した制御部７０は、一般撮影の実行時には撮影モードを選択し、シリアル撮影の実行時には、練習モードと撮影モードのいずれかを選択する。
【００３８】
図６は、操作部２におけるタッチパネル式の液晶表示部２２の表示画面の一例を示す概要図である。
【００３９】
制御部７０は、シリアル撮影の実行時には、タッチパネル式の液晶表示部２２に練習モードの実行開始スイッチ２８を表示する。この練習モードの実行開始スイッチ２８を操作したときには、音声ガイダンス部５による音声ガイダンスのみを実行する練習モードが実行される。また、制御部７０は、一般撮影の実行時には、タッチパネル式の液晶表示部２２に一般撮影を実行するときの撮影準備スイッチ２９を表示する。この撮影準備スイッチ２９が押されたときには、一般撮影を実行する前のＸ線管４２の準備動作として、Ｘ線管４２における回転陽極が回転を開始し、Ｘ線照射の準備を実行する。なお、この練習モードの実行開始スイッチ２８または撮影準備スイッチ２９は、撮影部４の操作部４１におけるタッチパネル式の液晶表示部４６にも表示される。
【００４０】
オペレータが、コンソール部１の操作部１２や操作部２、あるいは、撮影部４の操作部４１を操作することにより、一般撮影を選択したときには、図６において右側に示すように、操作部２におけるタッチパネル式の液晶表示部２２には、一般撮影時における撮影準備スイッチ２９が表示される。オペレータがこの撮影準備スイッチ２９を押すことにより、一般撮影を実行する前のＸ線管４２の準備動作として、Ｘ線管４２における回転陽極が回転を開始し、Ｘ線照射の準備が開始される。しかる後、オペレータが操作部２のハンドスイッチ２３における押しボタン２５を押圧することで一般撮影が実行される。
【００４１】
一方、オペレータが、コンソール部１の操作部１２や操作部２、あるいは、撮影部４の操作部４１を操作することにより、シリアル撮影を選択したときには、図６において左側に示すように、操作部２におけるタッチパネル式の液晶表示部２２には、練習モードの実行開始スイッチ２８が表示される。そして、オペレータがこの練習モードの実行開始スイッチ２８を押圧した場合には、図５に示す制御部７０は、音声ガイダンス部５による音声ガイダンスのみを実行する練習モードをスタートする。一方、オペレータがこの練習モードの実行開始スイッチ２８を押圧しなかった場合には、図５に示す制御部７０は、オペレータによる次の操作に従って、音声ガイダンス部５による音声ガイダンスと同期して撮影機構によるＸ線撮影を実行する撮影モードをスタートする。
【００４２】
図７は、音声ガイダンス部５による音声ガイダンスのみを実行し、撮影機構によるＸ線撮影は実行しない練習モード時における指令信号の送信状態を示すブロック図であり、図８は、音声ガイダンス部５による音声ガイダンスと同期して撮影機構によるＸ線撮影を実行する撮影モード時における指令信号の送信状態を示すブロック図である。
【００４３】
オペレータが操作部２におけるタッチパネル式の液晶表示部２２または撮影部４の操作部４１におけるタッチパネル式の液晶表示部４６に表示された練習モードの実行開始スイッチ２８を押圧して練習モードに移行した後には、図７に示すように、操作部２または撮影部４の操作部４１を操作した場合、Ｘ線撮影制御部７２からの信号は音声ガイダンス部用信号出力部７３を介して音声ガイダンス部５における音声ガイダンス出力制御部５２に送信される。そして、音声ガイダンス部５における音声ガイダンス出力制御部５２がスピーカ５１に対して、音声ガイダンスを出力するための信号を送信する。これにより、スピーカ５１から、シリアル撮影を実行するときと同じ音声が出力され、被検者Ｍは呼吸方法等の練習を実行することが可能となる。この時には、Ｘ線管４２からＸ線が照射されることはないことから、Ｘ線の被ばくを考慮する必要はない。
【００４４】
なお、オペレータが撮影部４の操作部４１を操作して練習モードに移行し、撮影部４の操作部４１を操作して被検者Ｍの練習を実行する場合においては、オペレータが被検者Ｍの横で一緒に練習をする場合に、オペレータが撮影室１００と操作室１０１の間で移動する必要をなくすことができる。
【００４５】
一方、オペレータが練習モードに移行することなく操作部２または撮影部４の操作部４１を操作した場合には、図８に示すように、Ｘ線撮影制御部７２からの信号は、音声ガイダンス部用信号出力部７３とＸ線管制御部７１とに送信される。そして、音声ガイダンス部用信号出力部７３からは音声ガイダンス部５における音声ガイダンス出力制御部５２に信号が送信され、音声ガイダンス部５における音声ガイダンス出力制御部５２がスピーカ５１に対して、音声ガイダンスを出力するための信号を送信する。また、Ｘ線管制御部７１からはＸ線管４２に対してＸ線の照射信号が送信される。これにより、スピーカ５１から、シリアル撮影の各工程に対応した音声ガイダンスが出力され、予め練習した呼吸法により呼吸を行う被検者Ｍに対してシリアル撮影が実行される。
【００４６】
上述した実施形態においては、シリアル撮影の実行時にはタッチパネル式の液晶表示部２２、４６に練習モードの実行開始スイッチ２８を表示するとともに、一般撮影の実行時にはタッチパネル式の液晶表示部２２、４６に一般撮影を実行するときの撮影準備スイッチ２９を表示している。そして、練習モードの実行開始スイッチ２８を押圧することにより、練習モードを実行している。しかしながら、練習モードを開始するための構成として、その他の手法をとることも可能である。
【００４７】
すなわち、練習モードを開始するための第１の変形例として、操作部２における複数の入力ボタン２４または撮影部４の操作部４１における複数の入力ボタン４９のうちのいずれかを練習モードの実行開始スイッチとする。そして、シリアル撮影の実行時には制御部７０によりこの練習モードの実行開始スイッチを有効とし、一般撮影の実行時には制御部７０によりこの練習モードの実行開始スイッチを無効とする。これにより、一般撮影時に練習モードとなることを防止することが可能となる。
【００４８】
また、練習モードを開始するための第２の変形例として、操作部２のハンドスイッチ２３における二段式の押しボタン２５の一段目を、一般撮影の実行時にはＸ線撮影の準備開始スイッチとし、シリアル撮影時には練習モードの実行開始スイッチとする。このような構成を採用した場合においても、一般撮影時に練習モードとなることを防止することが可能となる。
【００４９】
なお、上述した実施形態においては、いずれも、コンソール部１、操作部２、検診台３、撮影部４および高電圧発生部６から構成される撮影機構のいずれかの構成を使用して練習モードを開始しているが、撮影機構とは別に、練習モードを実行するための専用の練習操作部を設けてもよい。この場合には、練習操作部は、撮影機構のいずれかに付設してもよく、撮影機構とは独立して設けてもよい。そして、練習操作部と撮影機構または音声ガイダンス部５との信号の送受信は、有線で行ってもよく、無線通信を利用して行ってもよい。
【符号の説明】
【００５０】
１      コンソール部
２      操作部
３      検診台
４      撮影部
５      音声ガイダンス部
６      高電圧発生部
１１    表示部
１２    操作部
２０    フットスイッチ
２１    操作パネル
２２    タッチパネル式の液晶表示部
２３    ハンドスイッチ
２４    入力ボタン
２８    練習モードの実行開始スイッチ
２９    一般撮影を実行するときの撮影準備スイッチ
３１    天板
３３    Ｘ線検出部
４１    操作部
４２    Ｘ線管
４３    コリメータ
４５    ハンドル
４６    タッチパネル式の液晶表示部
４９    入力ボタン
５１    スピーカ
５２    音声ガイダンス出力制御部
７０    制御部
７１    Ｘ線管制御部
７２    Ｘ線撮影制御部
７３    音声ガイダンス部用信号出力部
１００  撮影室
１０１  操作室
Ｍ      被検者
【図１】
2020065761.tif 000003
【図２】
2020065761.tif 000004
【図３】
2020065761.tif 000005
【図４】
2020065761.tif 000006
【図５】
2020065761.tif 000007
【図６】
2020065761.tif 000008
【図７】
2020065761.tif 000009
【図８】
2020065761.tif 000010
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
放射線照射部と放射線検出部を備え、被検者を放射線撮影する撮影機構と、
被検者に対して音声ガイダンスを出力する音声ガイダンス部と、
前記音声ガイダンス部による音声ガイダンスのみを実行する練習モードと、前記音声ガイダンス部による音声ガイダンスと同期して前記撮影機構による放射線撮影を実行する撮影モードとを切り替えるための制御部と、
を備え、
前記撮影機構の動作として、連続して複数の放射線画像を撮影するシリアル撮影を実行可能であり、
前記制御部は、前記シリアル撮影を実行する際に、所定の入力操作に応じて前記練習モードと前記撮影モードのいずれかを実行することを特徴とする放射線撮影装置。
【請求項２】
請求項１に記載の放射線撮影装置において、
前記撮影機構の動作として、さらに、単一の放射線画像を撮影する一般撮影を実行可能であり、
前記制御部は、前記一般撮影の実行時には前記撮影モードを実行する放射線撮影装置。
【請求項３】
請求項１に記載の放射線撮影装置において、
前記撮影機構は、タッチパネル式の液晶表示部を備え、
前記制御部は、前記シリアル撮影の実行時に、前記タッチパネル式の液晶表示部に前記練習モードの実行開始スイッチを表示する放射線撮影装置。
【請求項４】
請求項２に記載の放射線撮影装置において、
前記制御部は、前記シリアル撮影の実行時に前記タッチパネル式の液晶表示部に前記練習モードの実行開始スイッチを表示するとともに、前記一般撮影の実行時に前記タッチパネル式の液晶表示部に前記一般撮影を実行するときの撮影準備スイッチを表示する放射線撮影装置。
【請求項５】
請求項２に記載の放射線撮影装置において、
前記撮影機構は、前記練習モードの実行開始スイッチを備え、
前記制御部は、前記シリアル撮影の実行時には前記練習モードの実行開始スイッチを有効とし、前記一般撮影の実行時には前記練習モードの実行開始スイッチを無効とする放射線撮影装置。
【請求項６】
請求項２に記載の放射線撮影装置において、
前記撮影機構は、前記撮影機構に放射線撮影の準備を開始させるための準備開始スイッチを備え、
前記制御部は、前記シリアル撮影の実行時には前記準備開始スイッチが操作されたときに前記練習モードの実行を開始させ、前記一般撮影の実行時には前記準備開始スイッチが操作されたときに前記撮影機構に放射線撮影の準備を開始させる放射線撮影装置。
【手続補正２】
【補正対象書類名】明細書
【補正対象項目名】００２９
【補正方法】変更
【補正の内容】
【００２９】
この操作部２は、操作室１０１内において隔壁１０２に配設される。この操作部２は、タッチパネル式の液晶表示部２２と入力ボタン２４と有する操作パネル２１と、撮影部４におけるＸ線管４２に対するＸ線照射およびその準備のための信号を送信するための二段式の押しボタン２５を有するハンドスイッチ２３とを備える。この操作部２は、Ｘ線管４２の管電圧や管電流、あるいは、Ｘ線照射時間等のＸ線の照射条件を設定するためのものである。この操作部２は、撮影室１００に配設された高電圧発生部６と接続されている。この高電圧発生部６は、Ｘ線管４２に対して、Ｘ線の照射を可能とするための高電圧を供給する。なお、この高電圧発生部６は、撮影室１００内においてＸ線の照射を開始するために使用されるフットスイッチ２０と接続されている。
【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
放射線照射部と放射線検出部を備え、被検者を放射線撮影する撮影機構と、
被検者に対して音声ガイダンスを出力する音声ガイダンス部と、
前記音声ガイダンス部による音声ガイダンスのみを実行する練習モードと、前記音声ガイダンス部による音声ガイダンスと同期して前記撮影機構による放射線撮影を実行する撮影モードとを切り替えるための制御部と、
を備え、
前記撮影機構の動作として、連続して複数の放射線画像を撮影するシリアル撮影を実行可能であり、
前記制御部は、前記シリアル撮影を実行する際に、所定の入力操作に応じて前記練習モードと前記撮影モードのいずれかを実行することを特徴とする放射線撮影装置。
【請求項２】
請求項１に記載の放射線撮影装置において、
前記撮影機構の動作として、さらに、単一の放射線画像を撮影する一般撮影を実行可能であり、
前記制御部は、前記一般撮影の実行時には前記撮影モードを実行する放射線撮影装置。
【請求項３】
請求項１に記載の放射線撮影装置において、
前記撮影機構は、タッチパネル式の表示部を備え、
前記制御部は、前記シリアル撮影の実行時に前記表示部に前記練習モードの実行開始スイッチを表示する放射線撮影装置。
【請求項４】
請求項３に記載の放射線撮影装置において、
前記制御部は、さらに、前記一般撮影の実行時に前記表示部に前記一般撮影を実行するときの撮影準備スイッチを表示する放射線撮影装置。
【請求項５】
請求項２に記載の放射線撮影装置において、
前記撮影機構は、前記練習モードの実行開始スイッチを備え、
前記制御部は、前記シリアル撮影の実行時には前記練習モードの実行開始スイッチを有効とし、前記一般撮影の実行時には前記練習モードの実行開始スイッチを無効とする放射線撮影装置。
【請求項６】
請求項２に記載の放射線撮影装置において、
前記撮影機構は、前記撮影機構に放射線撮影の準備を開始させるための準備開始スイッチを備え、
前記制御部は、前記シリアル撮影の実行時には前記準備開始スイッチが操作されたときに前記練習モードの実行を開始させ、前記一般撮影の実行時には前記準備開始スイッチが操作されたときに前記撮影機構に放射線撮影の準備を開始させる放射線撮影装置。
【手続補正２】
【補正対象書類名】明細書
【補正対象項目名】００２３
【補正方法】変更
【補正の内容】
【００２３】
【図１】この発明に係るＸ線撮影装置の概要図である。
【図２】この発明に係るＸ線撮影装置における検診台３および撮影部４の斜視図である。
【図３】操作部２の概要図である。
【図４】撮影部４における操作部４１の正面図である。
【図５】Ｘ線撮影装置の主要な制御系を示すブロック図である。
【図６】操作部２におけるタッチパネル式の液晶表示部２２の表示画面の一例を示す概要図である。
【図７】練習モード時における指令信号の送信状態を示すブロック図である。
【図８】撮影モード時における指令信号の送信状態を示すブロック図である。
【国際調査報告】
2020065761.tif 000011
2020065761.tif 000012
2020065761.tif 000013
2020065761.tif 000014